(57)【要約】【課題】画像情報検知センサブロックに歪みを与えないで、常に正確な画像情報を検出する画像情報検出装置を提供する。【解決手段】発光素子と受光素子を同一ケース内に組み込んだ画像情報検知センサブロックを有し、該発光素子の光を被検出物に照射し、その反射光を前記受光素子で受光する画像情報検出装置において、前記被検出物に対する前記画像情報検知センサブロックの位置を調整する調整部材と前記画像情報検知センサブロックを、画像情報検出装置本体へ２箇所で取付け、且つそれぞれの取付けに対して少なくとも弾性を有する弾性部材と前記調整部材を介して締結部材により前記画像情報検出装置本体に取付けたことを特徴とする画像情報検出装置。【選択図】        図２
2005037585.tif 000002
【特許請求の範囲】
【請求項１】
発光素子と受光素子を同一ケース内に組み込んだ画像情報検知センサブロックを有し、該発光素子の光を被検出物に照射し、その反射光を前記受光素子で受光する画像情報検出装置において、
前記被検出物に対する前記画像情報検知センサブロックの位置を調整する調整部材と前記画像情報検知センサブロックを、画像情報検出装置本体へ２箇所で取付け、且つそれぞれの取付けに対して少なくとも弾性を有する弾性部材と前記調整部材を介して締結部材により前記画像情報検出装置本体に取付けたことを特徴とする画像情報検出装置。
【請求項２】
前記画像情報検知センサブロックは画像濃度を検出、および／または色位置合わせのためのカラーレジストマークを検出するものであることを特徴とする請求項１に記載の画像情報検出装置。
【請求項３】
前記画像情報検知センサブロックは、画像情報検出用ドライバー回路を有するプリント基板と一体化されたものであることを特徴とする請求項１または２に記載の画像情報検出装置。
【請求項４】
前記画像情報検知センサブロックの取付け部と前記弾性部材とを合わせて所定間隔内に配置することを特徴とする請求項１、２または３に記載の画像情報検出装置。
【請求項５】
前記弾性部材は、リング状金属板バネであることを特徴とする請求項１、２、３または４に記載の画像情報検出装置。
【請求項６】
前記調整部材は、前記被検出物に対する前記画像情報検知センサブロックの傾き、または、傾きと高さを調整するものであることを特徴とする請求項１から５のいずれか１項に記載の画像情報検出装置。
【請求項７】
請求項１から６のいずれか１項に記載の画像情報検出装置を適用したことを特徴とする画像形成装置。
【請求項８】
中間転写体ベルト、感光体ドラムまたは感光体ベルトに形成された画像情報を前記画像情報検出装置により検出することを特徴とする請求項７に記載の画像形成装置。
【請求項９】
用紙搬送ベルトまたは用紙搬送ドラムにより搬送されている用紙に形成された画像情報を前記画像情報検出装置により検出することを特徴とする請求項７に記載の画像形成装置。
【発明の詳細な説明】
【０００１】
【発明の属する技術分野】
本発明は、複写機やレーザビームプリンタ等の画像形成装置に用いられ、画像情報を光学的に検出する画像情報検出装置、および該画像情報検出装置を適用した画像形成装置に関する。
【０００２】
【従来の技術】
従来、画像形成装置の内部に設けられたトナー像等の画像情報を光学的に検出する手段を有する画像情報検出装置がある。画像情報検知センサブロックは、発光ダイオードから発した光は、トナー像等の被検出面で反射し、反射した光は再びホトトランジスタに入射する光路を通り光学的に検出している。
【０００３】
例えば、コピー前又はコピー間に一定輝度のレーザビームで像担持体上にテストパッチの潜像を形成し、これを現像してテストパッチ像とし、この反射濃度を上記画像情報検出装置で検知し、そのデータを用いて現像剤のトナー濃度制御やプリント画像の最大濃度制御あるいは階調性補正等を行っている。また、中間転写体ベルト上の複数色のトナー像を正確に重ね合わせるために中間転写体ベルト上に形成したレジストマーク（画像情報）を検知するレジストセンサである画像情報検出装置がある。
【０００４】
ここで従来の一例について説明する。図４は従来の画像情報検出装置の一例を示す断面構成図である。例えば、図４に示すように、画像情報検知センサブロック１０３の取付けは被検出物１０４に対する画像情報検知センサブロック１０３の位置を長溝１０６で調整し、画像情報検知センサブロック１０３を画像情報検出装置本体１０７へ２箇所で締結部材１０８により取付けている。画像情報検出装置１０５は、発光素子１０１と受光素子１０２を同一ケース内に組み込んだ画像情報検知センサブロック１０３を有して、発光素子１０１の光を被検出物１０４に照射し、その反射光を受光素子１０２で受光している（特許文献１）。
【０００５】
【特許文献１】
特開２０００−２４１２４２号公報
【０００６】
【発明が解決しようとする課題】
しかしながら、画像情報検知センサブロック１０３を画像情報検出装置本体１０７に直接固定すると、画像情報検出装置本体１０７の取付け面と、画像情報検知センサブロック１０３の取付け面に段差等の誤差があると、締結部材１０８で直接取付けると、画像情報検知センサブロック１０３が変形して取り付くことになる。画像情報検知センサブロック１０３が変形すると、画像情報検知センサブロック１０３の発光素子、受光素子が変形したり、光学寸法が狂い、精度よく濃度やレジストマーク等の画像情報を検出できないといった問題点がある。また、画像情報検知センサブロック１０３に歪みが生じると、経時的に変形して、例えば、測光光軸等が経時変化し精度が狂いやすいという問題もある。
【０００７】
本発明の目的は、画像情報検知センサブロックに歪みを与えないで、常に正確な画像濃度、レジストマーク等の画像情報を検出できる画像情報検出装置、および該画像情報検出装置を適用した画像形成装置を提供することにある。
【０００８】
【課題を解決するための手段】
上記の目的は、下記の手段のいずれかにより達成される。
【０００９】
（１）発光素子と受光素子を同一ケース内に組み込んだ画像情報検知センサブロックを有し、該発光素子の光を被検出物に照射し、その反射光を前記受光素子で受光する画像情報検出装置において、前記被検出物に対する前記画像情報検知センサブロックの位置を調整する調整部材と前記画像情報検知センサブロックを、画像情報検出装置本体へ２箇所で取付け、且つそれぞれの取付けに対して少なくとも弾性を有する弾性部材と前記調整部材を介して締結部材により前記画像情報検出装置本体に取付けたことを特徴とする画像情報検出装置。
【００１０】
（２）前記（１）に記載の画像情報検出装置を適用したことを特徴とする画像形成装置。
【００１１】
【発明の実施の形態】
以下、実施の形態の画像情報検出装置および画像形成装置について説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１２】
（実施の形態１）
図１は、本発明に係る画像形成装置の一実施の形態を示す断面構成図であり、図２は図１の画像形成装置における画像情報検出装置の断面構成図である。
【００１３】
このカラー画像形成装置は、タンデム型フルカラー複写機と称せられるもので、複数組の画像形成部１０Ｙ、１０Ｍ、１０Ｃ、１０Ｋと、ベルト状中間転写体ユニット７と、給紙搬送手段２１及び定着手段２４とから成る。画像形成装置の本体Ａの上部には、原稿画像読み取り装置ＳＣが配置されている。
【００１４】
イエロー色の画像を形成する画像形成部１０Ｙは、第１の像担持体としてのドラム状の感光体１Ｙ、該感光体１Ｙの周囲に配置された帯電手段２Ｙ、露光手段３Ｙ、現像手段４Ｙ、一次転写手段としての一次転写ローラ５Ｙ、クリーニング手段６Ｙを有する。マゼンタ色の画像を形成する画像形成部１０Ｍは、第１の像担持体としてのドラム状の感光体１Ｍ、該感光体１Ｍの周囲に配置された帯電手段２Ｍ、露光手段３Ｍ、現像手段４Ｍ、一次転写手段としての一次転写ローラ５Ｍ、クリーニング手段６Ｍを有する。シアン色の画像を形成する画像形成部１０Ｃは、第１の像担持体としてのドラム状の感光体１Ｃ、該感光体１Ｃの周囲に配置された帯電手段２Ｃ、露光手段３Ｃ、現像手段４Ｃ、一次転写手段としての一次転写ローラ５Ｃ、クリーニング手段６Ｃを有する。黒色画像を形成する画像形成部１０Ｋは、第１の像担持体としてのドラム状の感光体１Ｋ、該感光体１Ｋの周囲に配置された帯電手段２Ｋ、露光手段３Ｋ、現像手段４Ｋ、一次転写手段としての一次転写ローラ５Ｋ、クリーニング手段６Ｋを有する。
【００１５】
ベルト状中間転写体ユニット７は、複数のローラにより巻回され、回動可能に支持された半導電性エンドレスベルト状の第２の像担持体である中間転写体としての中間転写体ベルト７０を有する。
【００１６】
画像形成部１０Ｙ、１０Ｍ、１０Ｃ、１０Ｋより形成された各色の画像は、一次転写手段としての一次転写ローラ５Ｙ、５Ｍ、５Ｃ、５Ｋにより、回動する中間転写体ベルト７０上に逐次転写されて、合成されたカラー画像が形成される。給紙カセット２０内に収容された記録媒体としての用紙等の転写材Ｐは、給紙手段２１により給紙され、複数の中間ローラ２２Ａ、２２Ｂ、２２Ｃ、２２Ｄ、レジストローラ２３を経て、二次転写手段としての二次転写ローラ５Ａに搬送され、用紙等の転写材Ｐ上に二次転写してカラー画像が一括転写される。カラー画像が転写された用紙等の転写材Ｐは、定着手段２４により定着処理され、排紙ローラ２５に挟持されて機外の排紙トレイ２６上に載置される。
【００１７】
尚、転写材の片面だけでなく両面に転写させたい場合は片面が定着された後に、排紙切換部材１７０を切り換えて、用紙案内部１７７が開放され、用紙としての転写材Ｐは破線矢印の方向に搬送される。
【００１８】
更に、搬送機構１７８により用紙としての転写材Ｐは下方に搬送され、用紙反転部１７９によりスイッチバックさせられ、用紙としての転写材Ｐの後端部は先端部となって両面複写用給紙ユニット１３０内に搬送される。
【００１９】
転写材Ｐは両面複写用給紙ユニット１３０に設けられた搬送ガイド１３１を給紙方向に移動し、給紙ローラ１３２で転写材Ｐを再給紙し、転写材Ｐを二次転写ローラ５Ａの位置に搬送し、転写材Ｐの裏面にトナー画像を転写し、定着装置２４で定着した後、排紙トレイ２６上に排紙する。
【００２０】
一方、二次転写手段としての二次転写ローラ５Ａにより用紙等の転写材Ｐにカラー画像を転写した後、用紙等の転写材Ｐを曲率分離した中間転写体としての中間転写体ベルト７０は、クリーニング手段６Ａにより残留トナーが除去される。
【００２１】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。二次転写手段５Ａは、ここを転写材Ｐが通過して二次転写が行われる時にのみ、中間転写体ベルト７０に圧接する。また、装置本体Ａから筐体８を支持レール９２Ｌ、９２Ｒを介して引き出し可能にしてある。筐体８は、画像形成部１０Ｙ、１０Ｍ、１０Ｃ、１０Ｋと、中間転写体ベルトユニット７とから成る。
【００２２】
画像形成部１０Ｙ、１０Ｍ、１０Ｃ、１０Ｋは、垂直方向に縦列配置されている。感光体１Ｙ、１Ｍ、１Ｃ、１Ｋの図示左側方には中間転写体ベルトユニット７が配置されている。中間転写体ベルトユニット７は、ローラ７１、７２、７３、７４、７６を巻回して回動可能な中間転写体ベルト７０、一次転写ローラ５Ｙ、５Ｍ、５Ｃ、５Ｋ、及びクリーニング手段６Ａとから成る。尚、ローラ７４は二次転写手段のバックアップローラ７４を兼ねている。
【００２３】
筐体８の引き出し操作により、画像形成部１０Ｙ、１０Ｍ、１０Ｃ、１０Ｋと、中間転写体ベルトユニット７とは、一体となって、本体Ａから引き出される。
【００２４】
筐体８の図示左側の支持レール９２Ｌは、中間転写体ベルト７０の左方で、定着手段２４の上方空間部に配置されている。筐体８の図示右側の支持レール９２Ｒは、最下部の現像手段４Ｋの下方付近に配置されている。支持レール９２Ｒは、現像手段４Ｙ、４Ｍ、４Ｃ、４Ｋを筐体８に着脱する動作に支障を来さない位置に配置されている。
【００２５】
筐体８の感光体１Ｙ、１Ｍ、１Ｃ、１Ｋの図示右方は、現像手段４Ｙ、４Ｍ、４Ｃ、４Ｋにより囲まれ、図示下方は、帯電手段２Ｙ、２Ｍ、２Ｃ、２Ｋ、及びクリーニング手段６Ｙ、６Ｍ、６Ｃ、６Ｋ等により囲まれ、図示左方は、中間転写体ベルト７０により囲まれている。
【００２６】
その中で感光体、クリーニング手段及び帯電手段等は一つの感光体ユニットを形成し、現像手段及びトナー補給装置等は一つの現像ユニットを形成している。
【００２７】
さて、一次転写ローラ５Ｙ、５Ｍ、５Ｃ、５Ｋを中間転写体としての中間転写体ベルト７０の背面から各感光体１Ｙ、１Ｍ、１Ｃ、１Ｋへ押圧するが、押圧しない時の中間転写体としての中間転写体ベルト７０と各感光体１Ｙ、１Ｍ、１Ｃ、１Ｋとの接触点よりも感光体回転方向下流側に一次転写ローラ５Ｙ、５Ｍ、５Ｃ、５Ｋを配置し各感光体１Ｙ、１Ｍ、１Ｃ、１Ｋへ押圧する。このとき中間転写体としての中間転写体ベルト７０は各感光体１Ｙ、１Ｍ、１Ｃ、１Ｋの外周に沿うように曲げられ、感光体と中間転写体ベルト７０の接触領域の最も下流側に一次転写ローラ５Ｙ、５Ｍ、５Ｃ、５Ｋが配置される構成となる。また、二次転写ローラ５Ａは、該二次転写ローラ５Ａで押圧しない時の中間転写体としての中間転写体ベルト７０とバックアップローラ７４との接触中央部よりもバックアップローラ７４の回転方向上流側に配置されていることが望ましい。また、画像情報検出装置８０Ａは、被検出物としてテストパッチのトナー像の濃度、複数色の位置合わせのためのカラーレジストマーク位置を検出する。即ち、コピー前又はコピー間に、例えば一定輝度のレーザビームで像担持体上にテストパッチの潜像を形成し、これを現像してテストパッチ像とし、この像の濃度を光学的に検出、また、中間転写体ベルト上の複数色のトナー像を正確に重ね合わせるために中間転写体ベルト上に形成したレジストマーク（画像情報）を検知するが詳しくは後述する。
【００２８】
次に、画像情報検出装置８０Ａについて詳しく説明する。画像情報検出装置８０Ａは、画像情報検知センサブロック８２、画像情報検出装置本体８１１、弾性部材８３、調整部材８４、締結部材８５、リング部材８６等で構成されている。
【００２９】
前記画像情報検知センサブロック８２は、センサ部８２１と画像情報検出用ドライバー回路を有するプリント基板８２２とが一体化されている。なお、センサ部８２１とプリント基板とが一体化されないものであってもよい。画像情報検知センサブロック８２は、画像情報検出装置本体８１１へ２箇所で取付け、それぞれの取付けに対して弾性部材８３と調整部材８４を介して締結部材８５により画像情報検出装置本体８１１に取付ける構造となっている。
【００３０】
画像情報検知センサブロック８２の２箇所の取付けは、第１取付け部８０ａ、第２取付け部８０ｂが有り、機構的に同じであるので第１取付け部８０ａについて代表して説明する。弾性部材８３は弾性を有する部材でリング状金属板バネを使用している。また、調整部材８４は被検出物８８に対する画像情報検知センサブロック８２の位置（傾きと高さ）を調整する部材である。被検出物８８に対する画像情報検知センサブロック８２の傾きとしては、例えば、被検出物８８の表面に対する発光素子８２１ａの光軸との傾きである。図２では第１取付け部８０ａに１つの調整部材８４、第２取付け部８０ｂに３つの調整部材８４を挟み込んでいる例を示しているがこれに限定されるものではない。
【００３１】
組み立ては、画像情報検出装置本体８１１より順に、調整部材８４、リング部材８６、弾性部材８３、取付け部８２２１を配置して、締結部材８５により固定している。なお、取付け部８２２１と弾性部材８３は所定間隔８９内に配置されている。このことにより画像情報検知センサブロック８２を弾性的に画像情報検出装置本体８１１に保持して、特に、画像情報検知センサブロック８２を傾けて取付けても無理な力がかからないよう構造となっている。この所定間隔８９はリング部材８６の段付部と締結部材８５の頭部で形成される。
【００３２】
画像情報検出装置の位置調整としては、被検出物８８に対する画像情報検知センサブロック８２の傾きと高さの調整があり、被検出物８８の標準パターンを画像情報検知センサブロックで測定し、電気出力に基づき調整する。
【００３３】
調整された画像情報検出装置８０Ａは、発光素子８２１ａの光を中間転写体ベルト７０上に形成される被検出物８８であるトナー像に照射し、その反射光を受光素子８２１ｂで受光し検出する。
【００３４】
以上のように、画像情報検知センサブロック８２は弾性部材８３を介して固定しているので、歪みが生じず、常に正確な画像情報を検出できるようになる。
【００３５】
（実施の形態２）
次に、画像情報検出装置の他の実施の形態について説明する。図３は、他の画像情報検出装置の断面構成図である。
【００３６】
図３に示すように、実施の形態２に係わる画像情報検出装置は、実施の形態１において、リング部材を廃止し、締結部材を段付ネジに変更した構造となっている。実施の形態１と機能的に同じ部分は、同一符号を付け一部説明を省略する。
【００３７】
画像情報検出装置８０Ｂは、画像情報検知センサブロック８２、画像情報検出装置本体８１１、弾性部材８３、調整部材８４、締結部材８７等で構成されている。
【００３８】
画像情報検知センサブロック８２は、センサ部８２１と画像情報検出用ドライバー回路を有するプリント基板８２２とが一体化されている。画像情報検知センサブロック８２は、画像情報検出装置本体８１１へ２箇所で取付け、それぞれの取付けに対して弾性部材８３と調整部材８４を介して締結部材８７により画像情報検出装置本体８１１に取付ける。画像情報検知センサブロック８２は、第１取付け部８０ａと第２取付け部８０ｂの２箇所がある。第１取付け部８０ａと第２取付け部８０ｂは機構的に同じであるので、第１取付け部８０ａについて説明する。弾性部材８３は弾性を有する部材で有り、リング状金属板バネを使用している。また、調整部材８４は被検出物８８に対する画像情報検知センサブロック８２の位置を調整する部材である。図３では第１取付け部８０ａに１つの調整部材８４、第２取付け部８０ｂに３つの調整部材８４を挟み込んでいるがこれに限定されるものではない。
【００３９】
組み立ては、図３において、画像情報検出装置本体８１１より順に、調整部材８４、弾性部材８３、取付け部８２２１を配置して、締結部材８７により固定している。なお、取付け部８２２１と弾性部材８３は所定間隔８９内に配置され、画像情報検知センサブロックを弾性的に画像情報検出装置本体８１１に保持して、特に、画像情報検知センサブロックを傾けて取付けても無理な力がかからない構造になっている。この所定間隔８９は締結部材８７の段付部８７１と締結部材８５の頭部により形成される。
【００４０】
画像情報検出装置の位置調整としては、被検出物８８に対する画像情報検知センサブロック８２の傾きと高さの調整があり、被検出物８８の標準パターンを画像情報検知センサブロック８２で測定し、電気出力に基づき調整する。
【００４１】
調整された画像情報検出装置８０Ｂは、発光素子８２１ａの光を中間転写体ベルト７０上に形成されるトナー像に照射し、その反射光を受光素子８２１ｂで受光し検出する。
【００４２】
以上のように、画像情報検知センサブロック８２は弾性部材８３を介して画像情報検出装置本体８１１に固定しているので、歪みが生じず、常に正確な画像情報を検出できるようになる。
【００４３】
なお、実施の形態では、画像情報検知センサブロック８２の調整として、高さと傾きの両方について行う場合についての例を説明したが、傾きのみの調整についても同様の方法によりできる。なお、傾きのみの調整は、前述の２箇所の調整の内、１箇所のみに調整部材を挟むと調整が容易となる。
【００４４】
また、実施の形態１、２では、本発明の画像情報検出装置により、被対象物として、中間転写体ベルト上に形成したトナー像の画像情報を光学的に検出する場合、中間転写体ベルト上の複数色のトナー像を正確に重ね合わせるために中間転写体ベルト上に形成したレジストマーク（画像情報）を検出する場合について説明したが、トナー像、レジストマークのいずれか一方でもよい。また、中間転写体ベルト以外にも、感光体ドラムまたは感光体ベルトに形成された画像情報を画像情報検出装置により同様にして検出できる。さらに、用紙搬送ベルトまたは用紙搬送ドラムにより搬送されている用紙に形成された画像情報を画像情報検出装置により同様にして検出できる。
【００４５】
また、画像情報検知センサブロックの１つであるレジストセンサブロックは、複数色の画像を正確に重ね合わせるためにベルト等に形成したレジストマークを検知するのに適したセンサである。
【００４６】
【発明の効果】
以上のように構成したので下記のような効果を奏する。
【００４７】
請求項１に記載の発明によれば、被検出物に対する画像情報検知センサブロックの位置を調整する調整部材と画像情報検知センサブロックを、画像情報検出装置本体へ２箇所で取付け、且つそれぞれの取付けに対して少なくとも弾性を有する弾性部材と調整部材を介して締結部材により画像情報検出装置本体に取付けたので、画像情報検知センサブロックに歪みを与えないで、常に正確な、例えば画像濃度、レジストマーク等の画像情報を検出できるようになった。
【００４８】
請求項２に記載の発明によれば、画像情報検知センサブロックは画像濃度を検出、および／または色位置合わせのためのカラーレジストマークを検出するものであるので、画像濃度、および／または色位置合わせのためのカラーレジストマークを常に正確に検出できるようになった。
【００４９】
請求項３に記載の発明によれば、画像情報検知センサブロックは、画像情報検出用ドライバー回路を有するプリント基板と一体化されたものであるので、プリント基板が一体化された画像情報検知センサブロックに歪みを与えないで、常に正確な画像情報を検出できるようになった。
【００５０】
請求項４に記載の発明によれば、画像情報検知センサブロックの取付け部と弾性部材とを合わせて所定間隔内に配置するので、画像情報検知センサブロックが傾いて取り付けられても、無理な力がかからないで画像情報検出装置本体に取付けができるようになった。
【００５１】
請求項５に記載の発明によれば、弾性部材は、リング状金属板バネであるので、経時的に弾性力が安定し、且つ安価となった。
【００５２】
請求項６に記載の発明によれば、調整部材は、被検出物に対する画像情報検知センサブロックの傾き、または傾きと高さを調整するものであるので、被検出物に対する画像情報検知センサブロックの傾きを調整でき、または、被検出物に対する画像情報検知センサブロックの傾きと高さの両方を調整できるようになった。
【００５３】
請求項７に記載の発明によれば、請求項１から６のいずれか１項に記載の画像情報検出装置を適用したので、この画像情報検出装置により画像情報を常に正確に検出できる画像形成装置となった。
【００５４】
請求項８に記載の発明によれば、中間転写体ベルト、感光体ドラムまたは感光体ベルトに形成された画像情報を画像情報検出装置により検出するので、前記媒体に形成された画像濃度、レジストマーク等の画像情報を常に正確に検出できるようになった。
【００５５】
請求項９に記載の発明によれば、用紙搬送ベルトまたは用紙搬送ドラムにより搬送されている用紙に形成された画像情報を画像情報検出装置により検出するので、用紙に形成された画像濃度、レジストマーク等の画像情報を常に正確に検出できるようになった。
【図面の簡単な説明】
【図１】本発明に係る画像形成装置の一実施の形態を示す断面構成図である。
【図２】図１の画像形成装置における画像情報検出装置の断面構成図である。
【図３】他の画像情報検出装置の断面構成図である。
【図４】従来の画像情報検出装置の一例を示す断面構成図である。
【符号の説明】
８１１  画像情報検出装置本体
８２  画像情報検出センサブロック
８２２  プリント基板
８２２１  取付け部
８２１ａ  発光素子
８２１ｂ  受光素子
８３  弾性部材
８４  調整部材
８８  被検出物
８９  所定間隔
８５、８７  締結部材
８６  リング部材
【図１】
2005037585.tif 000003
【図２】
2005037585.tif 000004
【図３】
2005037585.tif 000005
【図４】
2005037585.tif 000006